(57)【要約】【課題】放送信号に基づくコンテンツ情報に対してセキュリティを維持しながらネットワークを介して記録装置等に供給する放送受信装置及び放送受信方法を提供する。【解決手段】チューナ部４５とチューナ部の受信信号を復調して映像音声信号を出力する復調部４６と、映像音声信号を第1暗号鍵で暗号化し又は復号する第1暗号復号部８１と、この暗号化映像音声信号を記録する記録部８２と、映像音声信号を第２暗号鍵で暗号化し又は復号する第２暗号復号部８３と、第２暗号復号部で暗号化した映像音声信号をネットワーク上の記録装置に転送する通信部６９−７２と、映像音声信号を記録部に記録する時は第１暗号復号部で暗号化して記録し、取り出す時は第１暗号復号部で復号して出力し、映像音声信号を通信部を介して転送する時は、第２暗号復号部で暗号化してネットワーク上の記録装置に転送する制御部６１，７３とを有する放送受信装置。【選択図】図２
2006094404.tif 000002
【特許請求の範囲】
【請求項１】
放送信号を受信し選局して受信信号を出力するチューナ部と、
前記チューナ部の前記受信信号を復調して映像音声信号を出力する復調部と、
前記映像音声信号を第1暗号鍵で暗号化し又は復号する第1暗号復号部と、
前記第1暗号復号部で暗号化された暗号化映像音声信号を記録する記録部と、
前記映像音声信号を、前記第1暗号鍵とは異なる第２暗号鍵で暗号化し又は復号する第２暗号復号部と、
前記第２暗号復号部で暗号化した前記映像音声信号を、ネットワーク上の記録装置に転送するべく通信を行う通信部と、
前記復調部から与えられた又は外部から与えられた前記映像音声信号を、前記記録部に記録する時は前記第１暗号復号部で暗号化して記録し、取り出す時は前記第１暗号復号部で復号して出力し、更に、前記映像音声信号を前記通信部を介して転送する時は、前記第２暗号復号部で暗号化して前記通信部を介してネットワーク上の記録装置に転送するべく制御する制御部とを具備することを特徴とする放送受信装置。
【請求項２】
前記通信部が通信を行うネットワーク上の前記記録装置の一つを、前記復調部が出力する前記映像音声信号を記録する記録装置として登録する登録部を更に有しており、
前記制御部は、前記映像音声信号を前記通信部を用いて前記登録部が登録したネットワーク上の記録装置に記録するべく制御することを特徴とする請求項１記載の放送受信装置。
【請求項３】
前記復調部が復調した前記映像音声信号をＭＰＥＧデコードして、デコードされた信号を前記第1暗号復号部又は前記第２暗号復号部に供給するＭＰＥＧデコード部を更に具備する請求項１記載の放送受信装置。
【請求項４】
前記記録部は、ハードディスク又はメモリであることを特徴とする請求項１記載の放送受信装置。
【請求項５】
前記通信部は、前記ネットワーク上の認証処理を行い成功した後に、前記映像音声信号の送受信を行うことを特徴とする請求項１記載の放送受信装置。
【請求項６】
前記通信部は、ＬＡＮ、ＵＳＢ，ｉＬｉｎｋの内の少なくとも一つであることを特徴とする請求項１記載の放送受信装置。
【請求項７】
放送信号を受信し選局して受信信号を出力し、
前記受信信号を復調して映像音声信号を出力し、
前記映像音声信号を第1暗号鍵で暗号化して暗号化映像音声信号を放送受信装置に内蔵された記録領域に記録し、
前記記録領域から前記暗号化映像音声信号を読み出し、前記第1暗号鍵で復号して、前記第1暗号鍵とは異なる第２暗号鍵で暗号化して、ネットワーク上の記録装置に転送するべく制御することを特徴とする放送受信方法。
【請求項８】
前記通信を行うネットワーク上の前記記録装置の一つを、前記映像音声信号を記録する記録装置として登録し、前記映像音声信号を登録したネットワーク上の記録装置に記録するべく制御することを特徴とする請求項７記載の放送受信方法。
【請求項９】
前記映像音声信号をＭＰＥＧデコードして、デコードされた信号を前記第1又は第２暗号鍵による暗号化に供することを特徴とする請求項７記載の放送受信方法。
【請求項１０】
前記記録領域は、ハードディスク又はメモリであることを特徴とする請求項７記載の放送受信方法。
【請求項１１】
前記ネットワーク上の認証処理を行い成功した後に、前記映像音声信号の送受信を行うことを特徴とする請求項７記載の放送受信方法。
【請求項１２】
前記通信は、ＬＡＮ、ＵＳＢ，ｉＬｉｎｋの内の少なくとも一つのプロトコルで行うことを特徴とする請求項７記載の放送受信方法。
【発明の詳細な説明】
【技術分野】
【０００１】
この発明は、ネットワーク機能をもつテレビジョン装置等の放送受信装置に関し、特に、ネットワーク経由による映像音声信号のセキュリティを向上させる放送受信装置及び放送受信方法に関する。
【背景技術】
【０００２】
周知のように、近年では、テレビジョン放送のデジタル化が推進されている。例えば、日本国内においては、ＢＳ（Broadcasting Satellite）デジタル放送及び１１０度ＣＳ（Communication Satellite）デジタル放送等の衛星デジタル放送だけでなく、地上デジタル放送も開始されている。
【０００３】
そして、このようなデジタルテレビジョン放送を受信するデジタル放送受信装置にあっては、映像や音声情報をデジタル信号で扱うことができるため、コンテンツ情報の記録、再生、検索、管理等の処理や電子番組情報の活用も容易に行うことが可能となっている。この例として、特許文献１には、ディジタルテレビ放送から電子番組情報を取得し活用する技術が開示されている。
【特許文献１】特開２００２−１４２１６３号公報。
【発明の開示】
【発明が解決しようとする課題】
【０００４】
しかしながら、特許文献１においては、取得したディジタルコンテンツをネットワークを介してどのように利用するかが示されておらず、更に、ネットワークを利用する際に生じる第三者による不正なデータ利用の脅威に対する対策が何ら示されていないという問題がある。
【０００５】
本発明は、放送信号に基づくコンテンツ情報に対してセキュリティを維持しながらネットワークを介して記録装置等に供給することができる放送受信装置及び放送受信方法を提供すること目的とする。
【課題を解決するための手段】
【０００６】
本発明に係る放送受信装置は、放送信号を受信し選局して受信信号を出力するチューナ部と、前記チューナ部の前記受信信号を復調して映像音声信号を出力する復調部と、前記映像音声信号を第1暗号鍵で暗号化し又は復号する第1暗号復号部と、前記第1暗号復号部で暗号化された暗号化映像音声信号を記録する記録部と、前記映像音声信号を、前記第1暗号鍵とは異なる第２暗号鍵で暗号化し又は復号する第２暗号復号部と、前記第２暗号復号部で暗号化した前記映像音声信号を、ネットワーク上の記録装置に転送するべく通信を行う通信部と、前記復調部から与えられた又は外部から与えられた前記映像音声信号を、前記記録部に記録する時は前記第１暗号復号部で暗号化して記録し、取り出す時は前記第１暗号復号部で復号して出力し、更に、前記映像音声信号を前記通信部を介して転送する時は、前記第２暗号復号部で暗号化して前記通信部を介してネットワーク上の記録装置に転送するべく制御する制御部とを具備することを特徴とする放送受信装置である。
【発明の効果】
【０００７】
上記した放送受信装置においては、ネットワーク機能を備えたテレビジョン装置であって、例えば、テレビジョン装置に内蔵するハードディスク等に放送番組のコンテンツ情報等を格納する際には、そのテレビジョン装置に固有の第1暗号鍵で暗号化した上で格納する。一方、ネットワーク上の例えばハードディスクレコーダ等に転送する場合は、前記第1暗号鍵で更に復号して、本来のコンテンツ情報に復元した上で、そのネットワークに共通の暗号鍵である第２暗号鍵で暗号化して、ネットワークインタフェース等を介して、ネットワーク上の記録装置であるハードディスクレコーダ等に暗号化されたコンテンツ情報を転送するものである。これにより、よりセキュリティの高いコンテンツ情報の暗号化処理復号処理を可能とするものである。
【発明を実施するための最良の形態】
【０００８】
以下、この発明の実施の形態について図面を参照して詳細に説明する。
【０００９】
＜本発明に係るネットワーク機能を備えたテレビジョン装置＞
初めに、本発明に係る通信装置であるネットワーク機能を備えたテレビジョン装置の一例を図面を用いて以下に説明する。図２は、本発明の一実施形態に係るデジタルテレビジョン放送受信装置の構成の一例を示すブロック図、図３は、本発明の一実施形態に係るデジタルテレビジョン放送受信装置のリモートコントローラの一例を示すブロック図である。
【００１０】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１１】
又、このデジタルテレビジョン放送受信装置１１には、例えばＳＤ（Secure Digital）メモリカード、ＭＭＣ（Multimedia Card）及びメモリスティック等のメモリカード、又、更に、例えば契約情報等の記録されたメモリカード（ＩＣカード）等のメモリカード１９が着脱可能となっている。これらのメモリカード１９に対して番組や写真等の情報の記録再生が行なわれたり、情報の記録再生が行なわれるようになっている。
【００１２】
又、このデジタルテレビジョン放送受信装置１１は、第１のＬＡＮ（Local Area Network）端子２１、第２のＬＡＮ端子２２、ＵＳＢ（Universal Serial Bus）端子２３及びｉ．Link端子２４を備えている。
【００１３】
このうち、第１のＬＡＮ端子２１は、ＬＡＮ対応ＨＤＤ専用ポートとして使用されるもので、接続されたＮＡＳ（Network Attached Storage）であるＬＡＮ対応のＨＤＤ２５に対して、イーサネット（登録商標）により情報の記録再生を行なうために使用される。
【００１４】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことができる。
【００１５】
又、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（Personal Computer）２８、ＨＤＤ内蔵のＤＶＤ（Digital Versatile Disk）レコーダ２９等の機器を接続し、これらの機器と情報伝送を行なうために使用される。
【００１６】
なお、ＤＶＤレコーダ２９については、第２のＬＡＮ端子２２を介して通信されるデジタル情報が制御系のみの情報であるため、デジタルテレビジョン放送受信装置１１との間でアナログの映像及び音声情報を伝送するために、専用のアナログ伝送路３０を設ける必要がある。
【００１７】
更に、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００１８】
又、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等のＵＳＢ機器を接続し、これらのＵＳＢ機器と情報伝送を行なうために使用される。
【００１９】
更に、上記ｉ．Link端子２４は、例えばＡＶ−ＨＤＤ４１、Ｄ（Digital）−ＶＨＳ（Video Home System）４２等をシリアル接続し、これらの機器と情報伝送を行なうために使用される。
【００２０】
図２は、上記したデジタルテレビジョン放送受信装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２１】
そして、このチューナ４５で選局された放送信号は、ＰＳＫ（Phase Shift Keying）復調器４６に供給されて、デジタルの映像信号及び音声信号に復調された後、信号処理部４７に出力される。
【００２２】
又、地上波放送受信用のアンテナ４８で受信した地上デジタルテレビジョン放送信号は、入力端子４９を介して地上デジタル放送用のチューナ５０に供給されることにより、所望のチャンネルの放送信号が選局される。
【００２３】
そして、このチューナ５０で選局された放送信号は、ＯＦＤＭ（Orthogonal Frequency Division Multiplexing）復調器５１に供給されて、デジタルの映像信号及び音声信号に復調された後、上記信号処理部４７に出力される。
【００２４】
又、上記地上波放送受信用のアンテナ４８で受信した地上アナログテレビジョン放送信号は、入力端子４９を介して地上アナログ放送用のチューナ５２に供給されることにより、所望のチャンネルの放送信号が選局される。そして、このチューナ５２で選局された放送信号は、アナログ復調器５３に供給されてアナログの映像信号及び音声信号に復調された後、上記信号処理部４７に出力される。
【００２５】
ここで、上記信号処理部４７は、ＰＳＫ復調器４６及びＯＦＤＭ復調器５１からそれぞれ供給されたデジタルの映像信号及び音声信号に対して、選択的に所定のデジタル信号処理、例えば、ＭＰＥＧ２のデコード処理を施し、グラフィック処理部５４及び音声処理部５５に出力している。
【００２６】
更に、グラフィック処理部５４は、信号処理部４７から供給されるデジタルの映像信号に、ＯＳＤ（On Screen Display）信号生成部５７で生成されるＯＳＤ信号を重畳して出力する機能を有する。このグラフィック処理部５４は、信号処理部４７の出力映像信号と、ＯＳＤ信号生成部５７の出力ＯＳＤ信号とを選択的に出力すること、又、両出力をそれぞれ画面の半分を構成するように組み合わせて出力することができる。
【００２７】
そして、グラフィック処理部５４から出力されたデジタルの映像信号は、映像処理部５８に供給される。この映像処理部５８は、入力されたデジタルの映像信号を、上記映像表示器１４で表示可能なフォーマットのアナログ映像信号に変換した後、映像表示器１４に出力して映像表示させるとともに、出力端子５９を介して外部に導出させる。
【００２８】
又、上記音声処理部５５は、入力されたデジタルの音声信号を、上記スピーカ１５で再生可能なフォーマットのアナログ音声信号に変換した後、スピーカ１５に出力して音声再生させるとともに、出力端子６０を介して外部に導出させる。
【００２９】
ここで、このデジタルテレビジョン放送受信装置１１は、上記した各種の受信動作を含むその全ての動作を制御部６１によって統括的に制御されている。この制御部６１は、ＣＰＵ（Central Processing Unit）等を内蔵しており、上記操作部１６からの操作情報を受け、又は、リモートコントローラ１７から送出された操作情報を上記受光部１８を介して受信し、その操作内容が反映されるように各部をそれぞれ制御している。
【００３０】
この場合、制御部６１は、主として、そのＣＰＵが実行する制御プログラムを格納したＲＯＭ（Read Only Memory）６２と、該ＣＰＵに作業エリアを提供するＲＡＭ（Random Access Memory）６３と、各種の設定情報及び制御情報等が格納される不揮発性メモリ６４とを利用している。
【００３１】
又、この制御部６１は、カードＩ／Ｆ（Interface）６５を介して、上記メモリカード１９が装着可能なカードホルダ６６に接続されている。これによって、制御部６１は、カードホルダ６６に装着されたメモリカード１９と、カードＩ／Ｆ６５を介して情報伝送を行なうことができる。更に、上記制御部６１は、図示しないカードＩ／Ｆとカードホルダとを介して、図示しない第２のメモリカードが装着可能に接続されている。これにより、制御部６１は、第２のメモリカードと情報伝送を行なうことができる。
【００３２】
又、上記制御部６１は、通信Ｉ／Ｆ６９を介して第１のＬＡＮ端子２１に接続されている。これにより、制御部６１は、第１のＬＡＮ端子２１に接続されたＬＡＮ対応のＨＤＤ２５と、通信Ｉ／Ｆ６９を介して情報伝送を行なうことができる。この場合、制御部６１は、ＤＨＣＰ（Dynamic Host Configuration Protocol）サーバ機能を有し、第１のＬＡＮ端子２１に接続されたＬＡＮ対応のＨＤＤ２５にＩＰ（Internet Protocol）アドレスを割り当てて制御している。
【００３３】
更に、上記制御部６１は、通信Ｉ／Ｆ７０を介して第２のＬＡＮ端子２２に接続されている。これにより、制御部６１は、第２のＬＡＮ端子２２に接続された各機器（図１参照）と、通信Ｉ／Ｆ７０を介して情報伝送を行なうことができる。
【００３４】
又、上記制御部６１は、ＵＳＢ Ｉ／Ｆ７１を介して上記ＵＳＢ端子２３に接続されている。これにより、制御部６１は、ＵＳＢ端子２３に接続された各機器（図１参照）と、ＵＳＢ Ｉ／Ｆ７１を介して情報伝送を行なうことができる。
【００３５】
更に、上記制御部６１は、ｉ．Link Ｉ／Ｆ７２を介してｉ．Link端子２４に接続されている。これにより、制御部６１は、ｉ．Link端子２４に接続された各機器（図１参照）と、ｉ．Link Ｉ／Ｆ７２を介して情報伝送を行なうことができる。
【００３６】
更に、映像音声信号の転送処理を制御する転送制御部７３と、信号処理部４７から出力する映像音声信号を固有鍵で暗号化する固有暗号復号部８１と、固有暗号復号部８１からの出力を受ける、例えば、ハードディスクドライブ等のディスク部８２とを有している。なお、ディスク部８２は、情報の格納領域であればよく、例えば、大容量メモリであることも好適である。更に、上記制御部６１は、テレビジョン放送受信装置１１からのコンテンツ情報を記録するための、ネットワーク上の記録再生機器を登録する登録部８０を有している。
【００３７】
図３は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ、メニューキー１７ｐ等が設けられている。
【００３８】
＜記録先に応じた暗号復号処理＞
次に、上記したデジタルテレビジョン放送受信装置における、記録先に応じた適切な暗号復号処理を、図４のフローチャートを用いて詳細に説明する。図４は、本発明の一実施形態に係るデジタルテレビジョン放送受信装置の特徴の一例を示すネットワーク図、図５は、本発明の一実施形態に係るデジタルテレビジョン放送受信装置の暗号復号処理の一例を説明するフローチャートである。
【００３９】
本発明に係るデジタルテレビジョン放送受信装置においては、図４の説明図に示すように、装置Ａ１のチューナ１からのコンテンツ情報を処理する処理部２は、内蔵する記録部４に記録するなら、装置に固有の固有鍵で暗号化する固有暗号部３により暗号化した上で記録を行うものである。更に、この記録部４からコンテンツを、例えば、ネットワーク上の装置Ａ２に格納して処理する場合は、第1暗号鍵で暗号化コンテンツを復号して、本来のコンテンツ情報に戻した上で、ネットワークに共通の共通鍵で共通暗号部５により暗号化した暗号化コンテンツとして、これをＩ／Ｆ部６を介して、ネットワークＮ上の装置Ａ２に供給する。装置Ａ２では、同様に、ネットワークに共通の共通鍵で本来のコンテンツ情報に復元した上で、再生等の処理を行うものである。
【００４０】
尚、この例では、ネットワーク上に置かれた他の機器で再生することができないこともあるため、ネットワークＨＤＤに記録されたコンテンツを記録した機器で一度復号して平分に戻し、再生要求した機器との間で暗号形式及び鍵を決めて暗号化を施した上で通信路に送出すると良い。
【００４１】
このようにその装置に固有の固有鍵による固有暗号処理と、ネットワークに共通の共通鍵による共通暗号処理とをそれぞれ独立して行うことにより、機種に固有のコンテンツ情報も確実に保護しながら、ネットワーク上でコンテンツ情報を活用する際は、ネットワークにおける利便性を確保しつつセキュリティも維持していくシステムを可能とするものである。
【００４２】
次に、このようなセキュリティシステムを応用して、ネットワーク上のコンテンツをネットワーク機能をもったテレビジョン装置で再生する場合を図５のフローチャートによって以下に説明する。初めに、ディジタルテレビジョン装置１１において、コンテンツ取得動作によりネット上のコンテンツ情報を収集し、所定のコンテンツの管理機器を、例えば、図１のＤＶＤレコーダ２９と認識して、コンテンツの再生を試みるべくこれにアクセスする（Ｓ１）。次に、ＤＶＤレコーダ２９では、再生を申し込まれた機器の認証を行い、この申し出を正当なものと判断したら、自己の記憶領域（４）に格納されたコンテンツを固有鍵による固有暗号部（３）により復号する（Ｓ２）（認証に失敗したら、このような動作や以下の動作は行わない）。その後、復号したコンテンツを共通鍵による供給暗号部（５）で暗号化する（Ｓ３）。そして、暗号化コンテンツを、再生を申し込んだ機器にＩ／Ｆ部（６）を介して転送する（Ｓ４）。
【００４３】
一方、この暗号化コンテンツを受けたディジタルテレビジョン装置１１においては、取得した暗号化コンテンツを、共通鍵により共通暗号復号部８３によって復号する（Ｓ５）。そして、信号処理部４７及び音声処理部５５、映像処理部５８によりコンテンツを再生する（Ｓ６）。再生の後は、このコンテンツ情報を、固有鍵による固有暗号復号部８１で暗号化し自己の記憶領域であるディスク部８２（ハードディスク又はメモリ等）に記録するか、共通鍵により共通暗号復号部８３で暗号化して、暗号化コンテンツをＤＶＤＲ２９等に戻す（Ｓ７）。ＤＶＤＲ２９では、暗号化コンテンツを再び共通鍵により共通暗号復号部（５）で復号し、固有鍵により固有暗号復号部（３）で暗号化して、自己の記憶領域（２）に記録するものである（Ｓ８）。
【００４４】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００４５】
【図１】本発明の一実施形態に係るデジタルテレビジョン放送受信装置とこれを中心に構成されるネットワークシステムの一例を概略的に説明する説明図。
【図２】本発明の一実施形態に係るデジタルテレビジョン放送受信装置の構成の一例を示すブロック図。
【図３】本発明の一実施形態に係るデジタルテレビジョン放送受信装置のリモートコントローラの一例を示すブロック図。
【図４】本発明の一実施形態に係るデジタルテレビジョン放送受信装置の特徴の一例を示すネットワーク図。
【図５】本発明の一実施形態に係るデジタルテレビジョン放送受信装置の暗号復号処理の一例を説明するフローチャート。
【符号の説明】
【００４６】
１１…デジタルテレビジョン放送受信装置、１２…キャビネット、１３…支持台、１４…映像表示器、１５…スピーカ、１６…操作部、１７…リモートコントローラ、１８…受光部、１９…メモリカード、２１…第１のＬＡＮ端子、２２…第２のＬＡＮ端子、２３…ＵＳＢ端子、２４…ｉ．Link端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…チューナ、５３…アナログ復調器、５４…グラフィック処理部、５５…音声処理部、５７…ＯＳＤ信号生成部、５８…映像処理部、５９…出力端子、６０…出力端子、６１…制御部、６２…ＲＯＭ、６３…ＲＡＭ、６４…不揮発性メモリ、６５…カードＩ／Ｆ、６６…カードホルダ、６７…カードＩ／Ｆ、６８…カードホルダ、６９…通信Ｉ／Ｆ、７０…通信Ｉ／Ｆ、７１…ＵＳＢ Ｉ／Ｆ、７２…ｉ．Link Ｉ／Ｆ、７３…転送制御部、８０…登録部、８１…固有暗号復号部、８２…ディスク部、８３…共通暗号復号部。
【図１】
2006094404.tif 000003
【図２】
2006094404.tif 000004
【図３】
2006094404.tif 000005
【図４】
2006094404.tif 000006
【図５】
2006094404.tif 000007